Podtech/llm-jp-corpus-v4-ja_patent huggingface dataset:
(57)【要約】【課題】  歯車の部品点数が少なく、省スペースとすることが出来るとともに、歯車とベアリングの嵌合いを緩くして、組立て作業が容易に出来る歯車をを提供すること。  【解決手段】  固定軸に嵌着したベアリングの外輪に内径をＪｓ６程度の嵌合いで嵌着するとともに、ベアリングの外輪に複数個のボルトで取付けることを特徴とするアイドラー等の歯車で複数個のボルトに換えて複数個の穴付ボルトとしたことを特徴とするアイドラー等の歯車。【選択図】        図１
2006118622.tif 000002
【特許請求の範囲】
【請求項１】
固定軸に嵌着したベアリングの外輪に内径をＪｓ６程度の嵌合いで嵌着するとともに、ベアリングの外輪に複数個のボルトで取付けることを特徴とするアイドラー等の歯車
。
【請求項２】
複数個のボルトに換えて複数個の穴付ボルトとしたことを特徴とする請求項１記載のアイドラー等の歯車。
【発明の詳細な説明】
【技術分野】
【０００１】
本発明は歯車に係り、特に固定軸に嵌着したベアリングにより回転自在に支承されたアイドラー等の歯車に関する。
【背景技術】
【０００２】
この種の従来歯車を図２により説明すると、固定軸１にはベアリング２が嵌着されており、その外径には同ベアリング２を内径面に嵌着したハウジング３にしまり嵌等により確実に固定された歯車部材４が嵌着されて歯車５が形成されている。
【特許文献１】特開平０５‐２２３１４１号公報
【発明の開示】
【発明が解決しようとする課題】
【０００３】
従って、歯車５においてはハウジング３と歯車部材４の嵌合い、およびベアリング２と歯車５、即ちハウジング３の嵌合いはしまり嵌等のため固定軸１への歯車５、ベアリング２の組立てに非常に面倒な作業となるばかりでなく、歯車５はハウジング３と歯車部材４により形成されているため部品点数としてはハウジング３が多く、加えて歯車５が大きくなり、スペースが大きくなった。
【課題を解決するための手段】
【０００４】
この発明は、歯車の部品点数が少なく、マスが小さいため省スペースとすることが出来るとともに、歯車とベアリングの嵌合いを緩くして、組立て作業が容易に出来る歯車を提供することに有る。
【０００５】
前述の目的を達成するため本発明は固定軸に嵌着したベアリングの外輪に内径をＪｓ６程度の嵌合いで嵌着するとともに、ベアリングの外輪に複数個のボルトで取付けることを特徴とするアイドラー等の歯車とした。
またボルトは穴付ボルトとしても良い。
【発明の効果】
【０００６】
この発明によれば部品点数が少なく、マスが小さい、しかもベアリングとの嵌合いを緩く、組立て作業が容易な歯車と成った。
【発明を実施するための最良の形態】
【０００７】
本発明の１実施形態を図１により説明すると、固定軸１１はベアリング１２が嵌着されており、同ベアリング１２の外輪１３の外周面には内径をＪｓ６程度の嵌合いで歯車１４が嵌着させるとともに、外輪１３の円周上に複数個のボルト１５で確実に固定している。
このボルト１５は省スペースとするためには穴付ボルトとすれば良い。
【０００８】
この発明は前述のように構成されているため、部品点数が少なく、省スペース化が可能となったばかりでなく、組立て作業が容易な歯車と成った。
【図面の簡単な説明】
【０００９】
【図１】この発明によるアイドラー等の歯車が適用される概要を示す説明面図である。
【図２】従来のアイドラー等の歯車が適用される説明面図である。
【符号の説明】
【００１０】
１１  固定軸
１２  ベアリング
１３  外輪
１４  歯車
１５  ボルト
【図１】
2006118622.tif 000003
【図２】
2006118622.tif 000004
(57)【要約】      （修正有）【課題】日に焼けず、素肌を見せず、身体の熱を外に流す事のできる涼しい服の生地を作る方法の提供。【解決手段】１）二枚の生地を用いて、上の布に飛び飛びに一直線の穴をあけ、２）同様に下の布にも穴をあけ、１）と２）の穴は重ならない様にし、その上下の穴に平行にミシンで縫い合せる生地の作成方法。【選択図】図１
2006118107.tif 000002
【特許請求の範囲】
【請求項１】
二枚の布地に穴を開けながら、穴が重ならないように空気の流れが良くなるようにしたもの。図１参照
【請求項２】
穴を開けるのに鉄で作ったパンチャーを作り、先の尖ったものを下に、上の頭にキャップを付ける。頭をハンマーでたたき穴をあける。
【発明の詳細な説明】
【発明の詳細な説明】
【０００１】  この服は身体の熱を外に早く流す方法である。１）二枚の生地を用いて、上の布に飛び飛びに一直線の穴をあける。２）同様の下の布にも穴をあける。それと平行にミシンで縫い横へ横へ作る。
【技術分野】
【０００２】  鉄鋼と繊維の分野
【背景技術】
【０００３】  ボタンホールの作り方や裁断機、ミシン、ボタン付け等の作り方【０００４】
【特許文献１】特開２００３−２７８００８号公報
【発明が解決しようとする課題】
【０００５】  穴を余り大きくできない
【課題を解決するための手段】
【０００６】  上の穴を少し小さくする。裸が見える恐れがある。
【発明を実施するための最良の形態】
【０００７】  襟が少し厚くなるかもしれない。折れて重なっている。
【発明の効果】
【０００８】  裸が日に焼けず涼しい
【図面の簡単な説明】
【０００９】
【図１】本発明の斜視図である
【図２】イ、断面図  ロ、上面図  ハ、下面図
【符号の説明】
【００１０】  ａ，上生地  ｂ，下生地の穴  ｃ，上生地の穴  ｄ，下生地
【図１】
2006118107.tif 000003
【図２】
2006118107.tif 000004
(57)【要約】【課題】二酸化炭素を冷媒として用いた密閉型圧縮機の場合、既存の圧縮機構部と同じものを使用すると電動機の出力が足りず効率的悪化もしくは専用設計になり多大なコスト増加等の課題がある。本発明は既存冷媒であるＲ２２およびＲ４１０Ａ用の圧縮機構部を利用し安価で高効率な二酸化炭素を冷媒として用いた密閉型圧縮機を提供するものである。【解決手段】前記密閉容器胴部の圧縮機構部固定部より電動機固定部の方が大きくすることによりモータ出力は確保でき既存冷媒で使用している圧縮機構部及び電動機部を用いることにより高効率な密閉型圧縮機を安価で提供することが可能となる。【選択図】図１
2006118364.tif 000002
【特許請求の範囲】
【請求項１】
密閉容器内に圧縮機構と、圧縮機構を駆動するための電動機が配置されている二酸化炭素を冷媒として用いた密閉型圧縮機で圧縮機構部固定部より電動機固定部の方が大きくなった密閉容器胴部になっていることを特徴とする密閉型圧縮機。
【発明の詳細な説明】
【技術分野】
【０００１】
本発明は冷凍空調分野等に使用される密閉型圧縮機に関するものである。
【背景技術】
【０００２】
密閉容器内に圧縮機構と、圧縮機構を駆動するための電動機が配置されている二酸化炭素を冷媒として用いた密閉型圧縮機の場合Ｒ２２およびＲ４１０Ａといった既存の圧縮機構部と同じものを使用すると電動機の出力が足りず効率的悪化もしくは専用設計になり多大なコスト増加等の問題がある（例えば、特許文献１参照）。
【特許文献１】特開２００３−１７２２８１号公報
【発明の開示】
【発明が解決しようとする課題】
【０００３】
従来の技術では二酸化炭素を冷媒として用いた密閉型圧縮機の場合Ｒ２２およびＲ４１０Ａといった既存の圧縮機構部と同じものを使用すると電動機の出力が足りず効率的悪化もしくは専用設計になり多大なコスト増加等の課題がある。そこで既存冷媒であるＲ２２およびＲ４１０Ａ用の圧縮機構部を利用し安価で高効率な二酸化炭素を冷媒として用いた密閉型圧縮機を提供するものである。
【課題を解決するための手段】
【０００４】
前記従来の課題を解決するために前記密閉容器胴部の圧縮機構部固定部より電動機固定部の方が大きくすることによりモータ出力は確保でき高効率な密閉型圧縮機を安価で提供することが可能となる。
【発明の効果】
【０００５】
本発明の密閉容器の胴部を使用することにより圧縮機の効率を向上させることができる。
【発明を実施するための最良の形態】
【０００６】
請求項１記載の発明は、密閉容器胴部の電動機の圧縮機構部部分より固定子固定部分を大きくすることにより、電動機の出力を上げることが可能となり既存冷媒であるＲ２２およびＲ４１０Ａを用いた圧縮機構部を利用等が可能となり密閉型圧縮機の高効率を低コストで達成することが可能となる。
【０００７】
（実施の形態１）
実施の形態１として図１は密閉型圧縮機断面図である。密閉容器３内に圧縮機構部１とその圧縮機構部１を駆動するための電動機部２が配置されており前記電動機部２は圧縮機構部１へ駆動を伝える回転子２ａと固定子２ｂにより構成されており前記固定子２ｂは前記密閉容器３の密閉容器胴部（固定子固定位置）３ａと焼き嵌め溶接等により固定されている形状になっておりさらに圧縮機構１も焼き嵌めもしくは溶接等により密閉容器胴部（圧縮機構部固定位置）３ｂにより固定されており、前記密閉容器胴部（固定子固定位置）３ａを前記密閉容器胴部（圧縮機構部固定位置）３ｂより大きくすることにより電動機２を大きく設定することが可能となりＲ４１０Ａ、Ｒ２２といった既存冷媒で既に使用されている圧縮機構部および電動機部を用いることにより安易に二酸化炭素を冷媒とした密閉型圧縮機を低コストで高効率な圧縮機を提供することができる。
【産業上の利用可能性】
【０００８】
以上のように、本発明にかかる密閉型圧縮機は、従来の二酸化炭素を冷媒とした密閉型圧縮機に対して既存冷媒で既に量産されている部品等を用いることにより低コストであり高効率な密閉型圧縮機を提供することができる。
【図面の簡単な説明】
【０００９】
【図１】本発明の実施例を示す密閉型圧縮機の断面図
【符号の説明】
【００１０】
１    圧縮機構部
２    電動機部
２ａ  回転子
２ｂ  固定子
３    密閉容器
３ａ  密閉容器胴部（固定子固定位置）
３ｂ  密閉容器胴部（固定子固定位置）
【図１】
2006118364.tif 000003
(57)【要約】【課題】物置場や通路を、雨に濡れずに利用又は歩行出来る。【手段】片屋根付の雨避け装置を、使用場所に設置する。【選択図】図２
2006118331.tif 000002
【特許請求の範囲】
【請求項１】
支柱（１）に雨避け片屋根（２）を取り付けた装置。
【発明の詳細な説明】
【発明の詳細な説明】
【技術分野】
【０００１】  この発明は屋外の、庭の通路や物置場、草花の上部等、雨を避けたい箇所に簡単に立てられる雨避け装置である。
【背景技術】
【０００２】  手で持つ移動式の傘を使用していた。
【発明が解決しようとする課題】
【０００３】  従来の方法は次の欠点があった。
（イ）常に傘を準備し置き、広げたり畳んだりの手間が係る。
（ロ）傘を差した状態では両手が使えない。
（ハ）雨が流れ落ちる方向が周囲に亙るので足元が濡れる。
（ニ）地面が濡れるので、履物にも気を使う。
以上のように、傘をさす手間を省き、雨に濡れずに通路の歩行や物事ができるようにする。
【解決するための手段】
【０００４】支柱（１）の上部に片屋根（２）を、支柱側を低く雨が流れよう傾斜させて取り付け、支柱下部は杭や基礎石で固定する。通路の場合は接続しながら通路に沿って設置する。
【発明を実施するための最良の形態】
【０００５】以下本発明の実施の形態について説明する
（イ）支柱（１）の上部に片屋根（２）部を蝶番で固定する。
（ロ）片屋根（２）を持ち上げ傾斜をつける。
（ハ）筋かい（３）を支柱（１）との間に入れ固定する。
（ニ）地中に、穴や杭にて支持させ支柱（１）を立てる。
（ホ）通路沿いの場合は通路に沿って次々立てていく。
【発明の効果】
【０００６】物や場所、庭等の通路を雨に濡れさせないように、簡単に設置出来る装置。
【図面の簡単な説明】
【図１】本発明の斜視図
【図２】作用図
【図１】
2006118331.tif 000003
【図２】
2006118331.tif 000004
(57)【要約】      （修正有）【課題】十字形の回転枠の４つの先端に車輪を付け左右に１個で１セツトとし、階段を上下する装置等が、装着した搬送物を車両又は船舶から搬入、搬出する時，搬送物を抱え上げる、又は抱え下ろす危険で不安全行動をせず、階段を上下する事で解決します。【解決手段】十字形の回転枠の４つの先端に車輪を付け左右に１個で１セツトとし、階段を上下する装置等が、上下する為の取り付け、取り外す階段。【選択図】図２
2006118334.tif 000002
【特許請求の範囲】
【請求項１】
十字形の回転枠の４つの先端に車輪を付け左右に１個で１セツトとし、階段を上下する装置等が、上下する為の取付け、取り外す階段。
【発明の詳細な説明】
発明の開示
発明が解決しようとする課題  十字形の回転枠の４つの先端に車輪を付け左右に１個で１セツトとし、階段を上下する装置等が、装着した搬送物を車両又は船舶から搬入、搬出する時、搬送物を抱え上げる、又は抱え下ろす危険で不安全行動をせず、階段を上下する事で解決します。
課題を解決するための手段  十字形の回転枠の４つの先端に車輪を付け左右に１個で１セツトとし、階段を上下する装置等が、上下する為の取り付け、取り外す階段。
発明の効果  十字形の回転枠の４つの先端に車輪を付け左右に１個で１セツトとし、階段を上下する装置等が、装着した搬送物を抱え上げる、又は抱え下ろす事無く階段を上下出来る。
発明を実施するための最良の形態  取り付け、取り外す階段とする事で安全で楽に階段を上下出来る。
【図面の簡単な説明】十字形の回転枠の４つの先端に車輪を付け左右に１個で１セツトとし、階段を上下する装置等が、上下する為の取り付け、取り外す階段。
図  １
「本発明の階段の正面図である。」
図  ２
「本発明の階段の側面図である。」
【符号の説明】
１            階段の側板
２            階段の踏板
３            階段の蹴板
【図１】
2006118334.tif 000003
【図２】
2006118334.tif 000004
(57)【要約】【課題】風を通し虫の侵入を防ぐ網戸は、砂埃が家の中に入ったり、網戸の汚れがカーテンにつくため網戸掃除もこまめにしていた。【解決手段】簡単に取り付けられる着脱具ａを網戸１の網の周りのサイズにあわせカットしとりつけ、網戸１の網のサイズにカットして通気性のあるカバｂーをつけたことを特徴とする網戸カバーである。【選択図】図１
2006118328.tif 000002
【特許請求の範囲】
【請求項１】
裏、表がマジックテープのフック面で縫い合わさった着脱具を網戸の網の周囲にあわせカットし、片面を網戸の周囲に取りつけ、もう片面は網戸のサイズにカットでき通気性のあるカバーをつけたことを特徴とする網戸カバー。
【発明の詳細な説明】
【技術分野】
【０００１】  この発明は、網戸につけるカバーに関する。
【背景技術】
【０００２】  従来の網戸は風を通し、虫が入らないもので網戸につけるカバーはなかった。
【発明の開示】
【発明が解決しようとする課題】
【０００３】しかしながら、以上の技術によれば、砂埃が家の中に入ったり、網戸の汚れがカーテンにつくため網戸掃除もこまめにしていた。
そこで、この発明は、網戸に簡単に着脱できるカバーを提供することを課題とする。
【課題を解決するための手段】
【０００４】  以上の課題を解決するために、第一発明は、網戸の網部分に簡単に取りつけられる着脱具をつけ、網戸のサイズに合わせられ通気性のあるカバーをつけたことを特徴とする網戸カバーである。
【発明の効果】
【０００５】  第一発明によれば、通気性はあるが砂埃が家に中に入らず、カバーに砂埃がつくので網戸の汚れがカーテンにつかないため網戸掃除もこまめにしなくてすむ。
【発明を実施するための最良の形態】
【０００６】  この発明の一実施形態を、図１に示す。
裏、表ともマジックテープのフック面になるよう縫い合わせた着脱具ａを、従来の網戸１の網の周りのサイズにあわせてカットする。部屋側から網の周りのサイズにカットした着脱具ａを網の周りに押しつける。不織布ｂのカバーは網のサイズにあわせてカットし、着脱具ａの上に押しつける。網戸１の網と不織布ｂのカバーはマジックテープのループ面と同じ役目をするため着脱具ａとくっつくしくみである。【０００７】「実施形態の効果」
この実施形態によれば、通気性はあるが家の中に砂埃が入らずカーテンが汚れないため網戸掃除もこまめにしなくてすむ。【０００８】「他の実施形態」
図１の実施形態では、カバーｂが使い捨てタイプの不織布であったが通気性があり砂埃を通さなければ他の素材にしたり、着脱具ａにつかないときはマジックテープのループ面をつけ使用してもよい。
【図面の簡単な説明】
【０００９】
【図１】この発明の一実施形態を示す平面図である。
【図２】着脱具ａの斜視図である。
【図３】カバーｂの平面図である。
【符号の説明】
【００１０】  １  従来の網戸
ａ  着脱具（裏、表ともマジックテープのフック面）
ｂ  カバー（不織布）
【図１】
2006118328.tif 000003
【図２】
2006118328.tif 000004
【図３】
2006118328.tif 000005
(57)【要約】      （修正有）【課題】既設旧型のアルミサッシにおいて、レールの構造やパッキンの老朽化の関係で強風雨時にサッシの底部に溜まった雨水が屋外の強風によって打ち雨となって屋内に浸入してくる、又は強風のみであっても隙間風によって風音が発生する。この打ち雨・風音を防止するための安価・堅牢で装着安易なアタッチメントを提供する。【解決手段】既存旧型のアルミサッシの引き戸最低部の外側に不等辺アングル１の短辺に、Ｌ型不等辺パッキン２の短辺を接着したアタッチメントをレール４の外側垂直面６にＬ型不等辺ゴムパッキン２の長辺を平行に不等辺アングル１の長辺内側を両面テープ・リベット又はビスにより、もしくは前者を併用した方法により装着する。【選択図】図１
2006118330.tif 000002
【特許請求の範囲】
既存旧型のアルミサッシの引き戸最底部の外側９に、不等辺アングル１の短辺に、Ｌ型不等辺ゴムパッキン２の短辺を接着したアタッチメント［図５］をレールの外側垂直面６にＬ型不等辺ゴムパッキン２の長辺を平行に［図２］のように不等辺アングル１の長辺内側を両面接着テープ・リベット又はビスにより、もしくは前者を併用した方法により装着することによって、暴風雨時に室内に浸入してくる打ち雨を防止することの出来る打ち雨防止用パッキンの提供にある。
【発明の詳細な説明】
【技術分野】
【０００１】本発明は旧型サッシにおける高効率の打ち雨防止パッキンに関する。
【背景技術】
【０００２】既存旧型引き戸型アルミサッシのレール部分は、外部にむけて段差がなく外側と内側のレールは水平高になっている場合が多く、尚かつ床面からの段差が少なのと併せてサッシ内側の気密パッキン不良により、強風雨時にレール部に溜まっている雨水が強風によってあおられ室内に打ち雨となって浸入し室内を水びたしにしている、又雨が無く強風のみであっても隙間風による風音によって室内の環境を悪くしている
【発明の開示】
【発明が解決しようとする課題】
【０００３】強風雨時の打ち雨、風音を完全に防ぎ、尚かつ引き戸の開閉に何等支障を来さない安価、堅牢で装着が安易なアタッチメントの開発が課題である
【課題を解決するための手段】
【０００４】短辺が５ｍ／ｍ前後、長辺が１０〜２０ｍ／ｍの不等辺アングル１の短辺にＬ型不等辺ゴムパッキン２の短辺を［図２］に示すように接着したアタッチメント［図５］をサッシ引き戸の最下部の外側９に不等辺アングル１の長辺内側を平行に［図２］のようにレールの外側垂直面６とＬ型不等辺ゴムパッキン２の内側垂直面とが平行に密着するように、両面接着テープ・リベット・ビス等を利用して、もしくは前者装着具を併用して装着する
【発明の効果】
【０００５】装着したアタッチメン［図５］のＬ型不等辺ゴムパッキン２の内側垂直面とレールの外側垂    直面６とは密着しているため、外部の風雨の強度に比例して密着度が増減するため内    部への風雨の浸入を高効率に防止出来る【０００６】平行して動くＬ型不等辺ゴムパッキン２の長辺とレールの外側垂直面６との間には密着しているといえども摩擦抵抗は極めて微弱であり、サッシ引き戸の開閉に支障はない
【発明を実施するための最良の形態】
【０００７】不等辺アングル１の寸法を５×１０×１ｍ／ｍ、Ｌ型不等辺ゴムパッキン２の寸法をを５×１５×０．５ｍ／ｍ、装着具を両面接着テープと２．４ｍ／ｍφのアルミリベットを併用して［図５］のようにアタッチメントの製作及び装着が最良の形態である
【図面の簡単な説明】
【０００８】［図１］アタッチメント装着時の斜視図
［図２］アタッチメント装着時の側断面図
［図３］サッシの正面図
［図４］サッシの断面図
［図５］アタッチメント
【符号の説明】
【０００９】    １  不等辺アングル
２  Ｌ型不等辺ゴムパッキン
３  サッシ
４  レール
５  戸車
６  レールの外側垂直面
７  不等辺アングルとＬ型不等辺ゴムパッキンとの接着面
８  アルミリベット
９  引き戸最低部の外側
１０  屋外風雨
【図１】
2006118330.tif 000003
【図２】
2006118330.tif 000004
【図３】
2006118330.tif 000005
【図４】
2006118330.tif 000006
【図５】
2006118330.tif 000007
(57)【要約】【課題】コンピュータ等のキーボードにタッチタイピング（ブラインドタッチ）が容易に習得可能な機構を持たせる。【解決手段】コンピュータ等の入力装置であるキーボードのキートップにソフトウェア制御により磁力で突起を突出させる機構を持たせ、打鍵すべきキー位置を触覚により導き、目的のキーを目視せず押下する訓練を補助する。【選択図】図１
2006065438.tif 000002
【特許請求の範囲】
【請求項１】
ソフトウェア制御により磁力でキートップに突起を突出させる機構を持ったコンピュータ等の入力装置であるキーボード。
【発明の詳細な説明】
【技術分野】
【０００１】
コンピュータ等の入力装置であるキーボードにおいて、盤面を見ないで打鍵する技術をキーボードの機構によって容易に習得可能とする。
【背景技術】
【０００２】
コンピュータ等の入力装置であるキーボードにおいて、タッチタイピングまたはブラインドタッチと呼ばれる盤面を見ないでタイプする技術を習得する際に、ホームポジション（打鍵していない時に各指を置くキー位置）から他のキーへ指を動かすには各自の経験と感覚に頼る必要があった。このため、タッチタイピング（ブラインドタッチ）を習得するのに時間がかかり、これを身につけないまま自己流で効率の悪いタイピングを行ってしまう等の欠点があった。
また、キーボードは接触型の入力装置であるにもかかわらず、能動的かつ動的な触覚による操作ガイド機能を持つものはこれまでなかった。
本発明はこれらの点に着目したものである。
【特許文献１】特開２０００−８９６５５号公報
【特許文献２】特開２００２−３７２９０７号公報
【発明の開示】
【発明が解決しようとする課題】
【０００３】
タッチタイピング（ブラインドタッチ）と呼ばれるキーボードを見ないでタイプする技術の習得を、キーボードが備える機構によって容易に可能とする。
【課題を解決するための手段】
【０００４】
コンピュータ等の入力装置であるキーボードのキートップにソフトウェア制御により磁力で突起を突出させる機構を持たせ、次に打鍵すべきキーの位置を触覚により導き、目的のキーを目視せず押下する訓練を補助する。
【発明の効果】
【０００５】
コンピュータ等の入力装置であるキーボードにおいてタッチタイピング（ブラインドタッチ）技術を容易に身に付けることができる。これは、キー入力速度の向上。眼精疲労、視力低下、ストレス（いわゆるＶＤＴ症候群）等の防止につながる。また、タイプ技術の向上によりコンピュータ等をより有効に使いこなせる等の効果がある。
【発明を実施するための最良の形態】
【０００６】
機構としてこれに限定するものではないが、図２．に示す様に、例えばドットインパクト式プリンタの印字ヘッドのワイヤードットを押し出す仕組みを本キーボードに適用し、  これをソフトウェアで制御する。具体的にはタイピング練習用ソフト等により、次に押下するキーの突起を突出させ、押下後に突起を収納するかまたは、ホームポジション（打鍵していない時に各指を置く位置）キーの突起を突出させる。
本キーボードはその機能を実現するため、双方向通信が可能なインターフェースによりコンピュータと接続される必要がある。
また、キーボードの小型化、省電力、動作のスムーズさを求めるならば、突起を突出させる機構はできるだけコンパクトなものが望ましい。
【実施例１】
【０００７】
前述の様にタイピング練習ソフトと組み合わせて使用するものであるが、本キーボードの触覚による指の誘導と合わせ、画面上にキーボードが図示され、次に打鍵するキーや打鍵する指などが動画表示されるソフトウェアと組み合わせることによって最も効果が得られる。
また、タッチタイピングの練習のみならず、ソフトウェアのオンラインマニュアル（画面上に順に展開する操作説明書）等でファンクションキーや各種拡張キーを使った機能を説明する際に、押下するキーを示す等の使い方も考えられる。
【図面の簡単な説明】
【０００８】
【図１】この発明の一実施形態を示すキーの断面図
【図２】この発明の一実施形態を示す突起制御機構の例（コンパクト化して各キーに組み込むのが理想的）
【符号の説明】
【０００９】
１．キー
２．スプリング等のキー内部機構（本発明部分と干渉しない構造が必要）
３．突起（接続されるワイヤー等の平行移動によって上下し、指先で感じることができる）
４．柔軟性のあるチューブ状の外皮（曲げを緩くする等してキー及びワイヤー等の動きを妨げないこと）
５．金属ワイヤー等の内芯（磁力で平行移動）
６．ヨーク（電磁石）
７．アーマチュア
８．リターンスプリングとワイヤーポストを兼ねる板バネ
【図１】
2006065438.tif 000003
【図２】
2006065438.tif 000004
(57)【要約】【課題】  従来、ヴァイオリンの演奏は、ヴァイオリンの裏板下方に棒状の肩当てを装着し、あごと肩当てとでヴァイオリンを挟んで固定して行われていたが、ヒトの肩の形状はひとによって様々であり、肩に合わずに、無駄な力が入って演奏を難しくしたり、肩痛を起こしたりすることがあった。【解決手段】  この肩当ては、小粒子を詰めた小袋を詰めた外袋を介してヴァイオリンを支えるもので、外袋を変形させることにより個人の肩の形に合わせ、力を入れずに安定してヴァイオリンを支えることができることが特徴である。【選択図】  図１
2006065262.tif 000002
【特許請求の範囲】
【請求項１】
小粒子を詰めた小袋を複数個詰めた袋で肩に接する、ヴァイオリン用肩当て。
【発明の詳細な説明】
【技術分野】
【０００１】  この発明は小粒子を詰めた小袋を複数詰めた袋で肩に接する、ヴァイオリン用肩当てに関するものである。
【背景技術】
【０００２】  従来、ヴァイオリン演奏は、ヴァイオリンの裏板下方の左右端に棒状の肩当て（図５、６、カ）を装着し、あごと肩当てとでヴァイオリンを挟んで固定したうえで行われていた。（図５、６）
【発明の開示】
【発明が解決しようとする課題】
【０００３】  ヒトの肩の形状は  個人によって様々であり、従来の棒状の肩当てでは  肩に合わないことも多く、ヴァイオリンをしっかり固定できない場合がしばしばあった。そのような場合力を入れて挟まなければならないため、スムーズな演奏を難しくしたり、肩痛を起こしたりした。
本発明は以上のような欠点をなくすためになされたものである。
【課題を解決するための手段】
【０００４】  この肩当ては  ヴァイオリンへの装着部（図１、３、４、のア）と、棒状の外袋（図１、２、３、４、のイ）から成る。
この棒状の外袋は小粒子（図２エ）を詰めた小袋（内袋、図２ウ）を数個しっかり詰めた構造である。演奏者個人の体型に合わせて外袋を手で力を加えて変形させ、肩に合うよう形を整える。小粒子は外袋の中では小袋で分割されているため  小粒子が外袋の中で偏って外袋の一部が押しつぶされ平たくなることはない。スポンジのように柔らかすぎてヴァイオリンが不安定になることもない。
この外袋を装着部（図１ア）に接着して  全体をヴァイオリン用肩当てとして使用する。
【発明の効果】
【０００５】  演奏者の体型にかかわらず肩の形状に合い、最小限の力で安定してヴァイオリンが支えられるようになり演奏がより容易となり、肩痛も少なくなった。
【発明を実施するための最良の形態】
【０００６】以下、本発明の実施例について説明する。
図１イの外袋を前もって手で自分の肩に合うよう形を作っておく。ついで本発明をヴァイオリンの裏板に装着し、あごと外袋の間にヴァイオリンを挟んで演奏する。（図３、４）
【図面の簡単な説明】
【０００７】
【図１】は本発明の斜視図である。
【図２】は外袋の構造図である。
【図３】は本発明の側面から見た実施図である。
【図４】は本発明の底面から見た実施図である。
【図５】は従来の肩当ての側面から見た実施図である。
【図６】は従来の肩当ての底面から見た実施図である。
【符号の説明】
【０００８】アはヴァイオリンへの装着部、イは小粒子を詰めた小袋を詰めた外袋、ウは小袋、エはウの中に詰めた小粒子、オはヴァイオリンに装着するためのフック、カは従来の肩当て、キはヴァイオリン
【図１】
2006065262.tif 000003
【図２】
2006065262.tif 000004
【図３】
2006065262.tif 000005
【図４】
2006065262.tif 000006
【図５】
2006065262.tif 000007
【図６】
2006065262.tif 000008
(57)【要約】【課題】建築された住宅やマンションなどで日差しの入る最大角度と最小角度を表示し、日の入る位置を確認する装置を提供する。【解決手段】基台の上面でレーザーポインターがボールジョイントを介して方向自在に可動するように台座を設け、透明材からなるドーム体に太陽の軌道に適合させたガイド溝を切り込んで円弧状に並列して設け、基台の上面にドーム体をレーザーポインターの先端がガイド溝から突出するように被せて設けることを特徴とする日差し測定器。建売住宅やマンション及び中古住宅などの選定時に季節や天候により室内への日差しが不明確な点を解消することを目的とする。【選択図】  図２
2006065261.tif 000002
【特許請求の範囲】
【請求項１】
基台の上面でレーザーポインターがボールジョイントを介して方向自在に可動するように台座を設け、透明材からなるドーム体に太陽の軌道に適合させたガイド溝を切り込んで円弧状に複数並列して設け、基台の上面にドーム体をレーザーポインターの先端がガイド溝から突出するように被せて設けることを特徴とする日差し測定器。
【発明の詳細な説明】
【技術分野】
【０００１】  本発明は建築された住宅やマンションなどで日差しの入る最大角度と最小角度を表示し、日の入る位置を確認するための日差し測定器に関するものである。
【背景技術】
【０００２】  従来、購入しようとする住宅などを選択する場合に、日当りに関しては方位を確認して現状を確認するという状況が主である。しかし、季節による太陽の照射する角度の違いにより、実際には夏と冬では部屋に入る日差しの位置は変動する。
【発明の開示】
【発明が解決しようとする課題】
【０００３】  そのために、次のような問題点があった。
（イ）住宅などを選択した時期では日当りがよかったが、違う季節には太陽の角度が変わり、他の建築物により影になってしまう。
（ロ）季節によって変動する部屋に入る日差しの具体的な時間帯がわからないため日中の部屋の明るさを考慮しながら選択することができない。
【課題を解決するための手段】
【０００４】  基台の上面でレーザーポインターがボールジョイントを介して方向自在に可動するように台座を設ける。透明材からなるドーム体に太陽の軌道に適合させたガイド溝を切り込む。切り込みは円弧状に並列して複数設け、基台の上面にドーム体を装着し、その際にレーザーポインターの先端がドーム体のガイド溝から突出するように被せて設ける。以上を特徴とする日差し測定器である。
【発明の効果】
【０００５】  実際に建築物をみて、その時の時間、季節時によく陽の当たる部屋であったとしても、例えば建物の前に他の建築物があったとき、他の季節や時間ではどのように日差しが入ってくるのかを予想するのは困難である。この装置は太陽の最大角度と最小角度（夏至と冬至）が表示でき、かつ時間の表示もされているので簡単に調査できる。
また、逆にある時間に部屋のどこまで日が入ってくるのか調査するためには装置の時間と方位をあわせ、マークを合わせたまま装置を移動することにより、日のあたる場所はレーザーポインターが障害物を照らす前の場所までであることがわかる。表示することにより建築物の日当りに関する利点や欠点を簡単に調査することができる。
【発明を実施するための最良の形態】
【０００６】  以下、本発明の実施の形態について説明する。
イ、  方形状の基台（７）の上面中央に円形状の台座（１０）を設け、台座（１０）にはボールジョイント（３）を介してレーザーポインター（２）を方向自在に向くように設ける。
ロ、  透明材からなるドーム体（８）に太陽の軌道に適合させた最大角度と最小角度それぞれのガイド溝（１）を切り込んで円弧状に並列して２列設ける。
ハ、  ドーム体（８）に切り込んだ最大角度のガイド溝（１ａ）と最小角度のガイド溝（１ｂ）をレーザーポインター（２）が自由に往復できるために垂直な溝（１ｃ）を設ける。
ニ、  ガイド溝（１ａ）（１ｂ）の側面に太陽が見える時刻を示す時刻表示部（９）を設ける。
ホ、  基台（７）の上面に、ドーム体（８）をレーザーポインター（２）の先端がガイド溝（１）から突出するように被せて設ける。
ヘ、  基台（７）の上面の一端に方位磁石（４）を設け、方位磁石（４）には針が北を示す位置にマーク（６）を表示し、ドーム体（８）に設けたマーク（５）と対応させる。
本発明は以上のような構成で、これを使用するときは、日差しを調べたい場所にて方位磁石のマーク（６）とドーム体に示したマーク（５）を合わせるように置く。レーザーポインターを照らし、壁などの障害物を照らすポイントではその時期（夏至若しくは冬至）および時刻表示部（９）に示す時間は太陽が見えない位置であることがわかる。逆にレーザーポインターがどの障害物にも照らされていない場合にはその時期及び時間は太陽が見えることがわかる。
また時期や時間から陽の当たるポイントを探したいときはレーザーポインターの位置を決定して、方位磁針と半球状のマークを合わせ、障害物を照らさない場所へ移動するなどの利用方法もある。
住宅の密集地域や高層住宅などでは南向きで建設されていても時期や時間によって予想以上に早く日が影ってしまったり、季節によってはほとんど日が当たらないこともある。
この発明は事前に太陽の見える角度の最大値と最小値を表示できるので住宅等の購入前に大いに活用できると考えられる。
【図面の簡単な説明】
【０００７】
【図１】  本発明の斜視図
【図２】  本発明の透過図
【図３】  本発明の平面図
【符号の説明】
【０００８】  １．  ガイド溝
２．  レーザーポインター
３．  ボールジョイント
４．  方位磁石
５．  マーク
６．  マーク
７．  基台
８．  ドーム体
９．  時刻表示部
１０．台座
【図１】
2006065261.tif 000003
【図２】
2006065261.tif 000004
【図３】
2006065261.tif 000005
(57)【要約】【課題】  従来、ヴァイオリンの演奏は、ヴァイオリンの裏板下方に棒状の肩当てを装着し、あごと肩当てとでヴァイオリンを挟んで固定して行われていたが、ヒトの肩の形状は様々で、肩に肩当てが合わないため、安定してヴァイオリンを支えられず無駄な力が入って演奏に悪影響したり、肩痛を起こしたりすることがあった。  また、振動する部分の両端を挟んで取り付けるので、音量が低下したり音質が悪化した。【解決手段】    この肩当ては、装着部に取り付けたベルトで肩から胸に当ててヴァイオリンを支えるので、誰の肩の形にも合うのが特徴である。また、装着部はヴァイオリンのブロック部の３点に取り付けられるので音質、音量に影響が少ない。【選択図】    図１
2006065263.tif 000002
【特許請求の範囲】
【請求項１】
ベルトで肩に接する３点支持のヴァイオリン用肩当て
【発明の詳細な説明】
【技術分野】
【０００１】  この発明はベルトで肩に接する３点支持のヴァイオリン用肩当てに関するものである。
【背景技術】
【０００２】  従来、ヴァイオリン（図１１、１２、のシ）の演奏は、ヴァイオリンの裏板下方の左右端に棒状の肩当て（図１１、１２、のス）を装着し、あごと肩当てとでヴァイオリンを挟んで固定したうえで  行われていた。（図１１、１２）
【発明の開示】
【発明が解決しようとする課題】
【０００３】  ヒトの肩の形状は  個人によって様々であり、あごと肩で挟む、従来の棒状の肩当てでは  肩にフィットすることが難しく、ヴァイオリンをしっかり固定できない場合が多かった。そのような場合力を入れて挟まなければならないため、スムーズな演奏を阻害したり、肩痛を起こしたりした。
さらに、肩当ては、振動して音を発生する裏板の両端に装着していたため、ヴァイオリンの板の振動をさまたげ、音量を低下させたり、音質の悪化を生じさせた。
本発明は以上のような欠点をなくすためになされたものである。
【課題を解決するための手段】
【０００４】    この肩当ては  ヴァイオリンへの装着部（図１、２、３、５、６、のア）と、これに取り付けたベルト（図１、２、３、５、６、のイ）から成る。このベルトは左肩から左前胸部にわたる部位でヴァイオリンを支え、体型に添わせて、安定してヴァイオリンを肩で支えることができる。
ヴァイオリンの構造は４個のコーナーブロック（図４キ）とアッパーブロック（図４ク）とボトムブロック（図４ケ）の計６個の柱で表板（図４コ）と裏板（図４サ）を挟む構造となっている。（図４）表板と裏板は振動して音を発生するが、このブロックの部分は演奏中あまり振動しない。今回製作した肩当てのヴァイオリンへの装着部（図１、２、３、５、６、のア）は  ボトムブロックと２個のコーナーブロックの位置の３点（図３エ、オ、カ）で裏板（図３サ、図４サ）をつかんで支える構造である。
【発明の効果】
【０００５】  演奏者の体型にかかわらず肩の形状に合い  少しの力で安定してヴァイオリンが支えられるようになり演奏がより容易となり、肩痛も少なくなった。
音量の低下と音質の悪化の問題が解決された。
【発明を実施するための最良の形態】
【０００６】  以下、本発明の実施例について説明する。
装着部（図１、２、３、５、６、のア）をヴァイオリンに取り付け、ベルト（図１、２、３、５、６、のイ）を肩に当て、ヴァイオリンをあごとベルトの間に挟んで演奏する。（図５、６）
【他の実施例１】
【０００７】  従来の肩当て（ス）に本発明のベルト（イ、ウ）を付けた肩当て。（図７、８）
【他の実施例２】
【０００８】  本発明の装着部（ア）に小枕（セ）を接着した肩当て。（図９、１０）
【図面の簡単な説明】
【０００９】
【図１】は本発明のヴァイオリン面の斜視図である。
【図２】は本発明の演奏者面の斜視図である。
【図３】は本発明をヴァイオリンに装着してヴァイオリンの裏面から見た図である。
【図４】はヴァイオリンの構造図である。
【図５】は側面から見た本発明の実施図である。
【図６】は底面から見た本発明の実施図である。
【図７】は側面から見た他の実施例１の実施図である。
【図８】は底面から見た他の実施例１の実施図である。
【図９】は側面から見た他の実施例２の実施図である。
【図１０】は底面から見た他の実施例２の実施図である。
【図１１】は側面から見た従来の肩当ての実施図である。
【図１２】は底面から見た従来の肩当ての実施図である。
【符号の説明】
【００１０】図１、２、３、５、６、９、１０、のアはヴァイオリンへの装着部
これはフックを３個持っており、裏板（図３サ）の３点（図３エ、オ、カ）でヴァイオリンに装着する。
図１、２、３、５、６、７、８、のイは演奏者の肩に接するベルト
図１、２、３、５、６、７、８、のウは装着部に取り付けたベルトの支持台
図４キは４つのコーナーブロック、図４クはアッパーブロック、図４ケはボトムブロック、図４コは表板、図４サは裏板
図５、６、７、８、９、１０、１１、１２、のシはヴァイオリン、図７、８、１１、１２、のスは従来の肩当て、図９、１０、のセは小枕
【図１】
2006065263.tif 000003
【図２】
2006065263.tif 000004
【図３】
2006065263.tif 000005
【図４】
2006065263.tif 000006
【図５】
2006065263.tif 000007
【図６】
2006065263.tif 000008
【図７】
2006065263.tif 000009
【図８】
2006065263.tif 000010
【図９】
2006065263.tif 000011
【図１０】
2006065263.tif 000012
【図１１】
2006065263.tif 000013
【図１２】
2006065263.tif 000014
(57)【要約】      （修正有）【課題】視覚障害者が屋外を歩行する場合、盲人用鋲（点字ブロック）を視覚障害者が歩行時に杖で探って自分がいる位置を判断していたが、点字ブロックなどを駅などで連続的に敷設することが難しく、また大きな駅や病院などでは複雑になりすぎて分かりずらい。【解決手段】往復路のループアンテナ線を数十センチ隔てて平行に張り、該アンテナ線から発生する発生磁界を利用し、視覚障害者が身につけたループイヤーの誘導コイルに超電力を誘導することによって視覚障害者に音声信号を伝達する、視覚障害者の歩行支援システム。【選択図】図１
2006065260.tif 000002
【特許請求の範囲】
【請求項１】
全国で３５万人いる視覚障害者のうち聴力正常な視覚障害者が、歩道や歩道橋、駅や病院、学校や空港など特定の場所において、支援者なしで目的の所に行くのは非常に困難である。このような不便さを解消するために発明した電磁誘導を利用した装置である。この装置は、往復路のループアンテナ線を数十センチ隔てて平行に張り、往復路のループアンテナ線から発生する発生磁界をそのまま利用することがこの電磁誘導歩行支援システムの特徴でもある。また、この装置はループアンテナ用アンプに取り付けたループアンテナに音声信号を流しそこからの発生磁界を電磁誘導により、視覚障害者が杖や衣服そして靴等に取り付けているループイヤーの誘導コイルに起電力を誘導し、増幅した信号をイヤホンを通して視覚障害者の耳に音声信号として伝達し、視覚障害者の歩行を支援するシステム。
このシステムの使用場所として、歩道や歩道橋、駅や病院、学校や空港、居宅やデパートなど、屋内外をとわず人が行き来する場所に敷設することが可能。
【発明の詳細な説明】
【発明の詳細な説明】
本発明は、図１に示す構成図となっており、視覚障害者が居住する屋内はもとより視覚障害者が屋外に外出するとき歩行を支援する事を目的として考案したものである。例えば駅の場合、改札口からホームまでの区間、床下に往復路として塩ビパイプ等非導電性パイプ内にループアンテナを敷設し、ループアンテナ用アンプに接続する。ループアンテナには、ホーム番号や電車の行き先案内アナウンスを、５秒間隔程度で断続的に信号送出装置に保存したものを、ループアンテナ用アンプを介してループアンテナに音声電流として流しておくと、視覚障害者の電磁誘導装置付杖に付けている電磁誘導装置イヤホンからの音声によって、目的のホームなどへ一人で間違うことなく行ける視覚障害者用の歩行支援システムである。一方病院の場合、前者と同様な方法で、受付から各診療科までの区間、廊下の床下に敷設されたループアンテナから、磁気誘導によって目的の音声電流が電磁誘導装置イヤホンから視覚障害者に音声として聞こえ目的の診療科などへ一人で間違うことなく行ける。また、この方式は電磁誘導を利用しているため、電磁誘導装置イヤホンにノイズが入らなく、ＳＮ比が非常に良いため、視覚障害者がイヤホンを長時間付けていても不快感が無いなど非常に優れている。現在、駅などで用いられている盲人用鋲（点字ブロック）は、改札口からホームまでの区間を連続的に敷設することは難しく、大きな駅では複雑になりすぎてわかりにくい。また、病院などではこの方式を実施することは平坦を重視する廊下の目的からして難しい。しかし、本発明の電磁誘導歩行支援システムによる視覚障害者歩行誘導法は、天井面等も活用出来る利点があり、この場合、敷設工事が簡単で、目的の所まで雑音のない音声によって連続的に誘導してもらえるため行き先に間違いが生じない。さらに、このループアンテナから色々な生活情報を流すことも可能である。このように、この電磁誘導歩行支援システムは、盲人用鋲（点字ブロック）を用いた方法と異なり、視覚障害者に歩行の安心感と色々な必要情報を入手出来る画期的かつ、人手がかからず確実で正確な視覚障害者歩行誘導法である。
【図面の簡単な説明】
【図１】  視覚障害者用電磁誘導歩行支援システムの概要・構成図
【図２】  本発明のループアンテナ地中敷設断面図
【図３】  本発明のループアンテナ床下敷設断面図
【図４】  本発明のループアンテナ床上敷設断面図
【符号の説明】
１  ループアンテナ用アンプ
２  ループアンテナ往復路
３  視覚障害者
４  電磁誘導装置イヤホン
５  電磁誘導装置付杖
６  床面（地面）
７  信号送出装置
８  塩ビパイプ等非導電性パイプ
９  地中
１０  天井面（階下）
１１  絨毯
【図１】
2006065260.tif 000003
【図２】
2006065260.tif 000004
【図３】
2006065260.tif 000005
【図４】
2006065260.tif 000006
(57)【要約】【課題】  磁気ディスク表面上のリッジと呼ばれる異常突起の分布を把握することが可能な磁気ディスク表面の異常突起検出方法を提供する。【解決手段】  磁気ディスク６を回転してその表面に間欠接触する程度にヘッドスライダ１を浮上させ、その際のヘッドスライダ１の磁気ディスク６表面への接触により潤滑層３に形成される液体潤滑剤の流動分布を観察して磁気ディスク６表面の異常突起を検出する。【選択図】        図１
2006065992.tif 000002
【特許請求の範囲】
【請求項１】
最表面に液体潤滑剤が塗布されてなる潤滑層を有する磁気ディスク表面の異常突起検出方法において、磁気ディスクを回転してその表面に間欠接触する程度にヘッドスライダを浮上させ、その際のヘッドスライダの磁気ディスク表面への接触により潤滑層に形成される液体潤滑剤の流動分布を観察して磁気ディスク表面の異常突起を検出することを特徴とする磁気ディスク表面の異常突起検出方法。
【発明の詳細な説明】
【技術分野】
【０００１】
本発明は、最表面に液体潤滑剤が塗布されてなる潤滑層を有する磁気ディスク表面の異常突起検出方法に関する。
【背景技術】
【０００２】
ハードディスク装置（ＨＤＤ）において、記録密度の増加を図るため磁気ヘッドスライダの浮上量（磁気ヘッドスライダの底面と磁気ディスク表面との距離）の狭小化が急速に進行している。そのため、磁気ディスク表面上で許容される異常突起高さもそれに伴い低減している。
このような磁気ディスク基板の表面には、磁気特性の向上等のために筋状の凹凸を形成するテクスチャ加工が施されるが、そのテクスチャ加工時に異常突起が形成されることがあり（例えば特許文献１参照）、その異常突起の形状は、ＡＦＭと呼ばれる原子間力顕微鏡により観察することができる。
【特許文献１】特開２００４−１７８７７７号公報
【特許文献２】特開２００２−１９７６４６号公報
【発明の開示】
【発明が解決しようとする課題】
【０００３】
上述のテクスチャ加工時には、加工条件によってリッジと呼ばれる異常突起が形成されることがあるが、このリッジは、テクスチャ加工時に形成されるバリであり、現在のヘッドスライダの浮上量に匹敵する高さを有するため、ヘッドスライダと接触してスライダ浮上を乱し、最悪の場合はヘッドクラッシュに至らしめることがある。
そのため、このような異常突起の分布を正確に把握する必要があるが、ＡＦＭで観察する場合には、観察できる領域は１００μｍ×１００μｍ程度と小さく、観察領域内にリッジを導入することは容易ではない。また、観察できたとしても、リッジ全体のごく一部であり、ディスク上のリッジ分布を把握することは困難であるという問題がある。
本発明は、上述の点に鑑み、磁気ディスク表面上のリッジと呼ばれる異常突起の分布を把握することが可能な磁気ディスク表面の異常突起検出方法を提供することを目的とする。
【課題を解決するための手段】
【０００４】
本発明は、上述の目的を達成するため、最表面に液体潤滑剤が塗布されてなる潤滑層を有する磁気ディスク表面の異常突起検出方法において、磁気ディスクを回転してその表面に間欠接触する程度にヘッドスライダを浮上させ、その際のヘッドスライダの磁気ディスク表面への接触により潤滑層に形成される液体潤滑剤の流動分布を観察して磁気ディスク表面の異常突起を検出することを特徴とする。
【発明の効果】
【０００５】
本発明によれば、磁気ディスクを回転してその表面に間欠接触する程度にヘッドスライダを浮上させるので、ヘッドスライダの磁気ディスク表面への接触により潤滑層の液体潤滑剤がリッジ付近に凝集され、その流動分布を観察することにより、液体潤滑剤の凝集部としてリッジ位置（異常突起の分布）を特定することが可能となる。
【発明を実施するための最良の形態】
【０００６】
図１は、本発明に係る磁気ディスク表面の異常突起検出方法の実施形態におけるヘッドスライダと磁気ディスクの関係を示す模式図である。図において、１は、磁気ヘッドまたはグライドハイトヘッドを構成するヘッドスライダ、６は、Ｎｉ−Ｐめっきアルミニウム合金基板などからなる非磁性ディスク基板（不図示）上に、Ｃｒ膜などからなる非磁性下地層（不図示）を介してＣｏ合金磁性膜などからなる磁気記録層５、ダイヤモンドライクカーボン膜などからなる保護層４及びパーフルオロポリエーテル（ＰＦＰＥ）などの液体潤滑剤からなる潤滑層３がこの順に積層された磁気ディスクである。
ここで、磁気ディスク６の回転により誘発される空気流７がヘッドスライダ１の前方から流入することで、ヘッドスライダ１と磁気ディスク６の間の空気膜２に圧力が発生し、ヘッドスライダ１が浮上することとなる。
【０００７】
この実施形態では、磁気ディスク６の回転数を減少させて空気流７の流速を減少させることで、ヘッドスライダ１の浮上量を低減させ、ヘッドスライダ１と磁気ディスク６の間欠接触を実現させる。間欠接触状態は、周速減少時の潤滑層３の液体潤滑剤分布より判断することができる。
このヘッドスライダ１と磁気ディスク６の間欠接触動作後、ＯＳＡ（Optical Surface Analyzer）と呼ばれる光学式磁気ディスク表面測定装置を用いて磁気ディスク６の表面の潤滑層３の液体潤滑剤分布を観察することにより、テクスチャ加工による異常突起（リッジ）が形成されている場合には、テクスチャの方向に沿った潤滑層３の凝集部が見られるので、これを異常突起（リッジ）部として判別することができる。
【実施例】
【０００８】
磁気ヘッドのＨＤＩ（Head Disk Interface）特性を評価するＣＳＳテスタと呼ばれる試験装置に対し、３０％サイズの磁気ヘッドスライダを設置し、フッ素系の液体潤滑剤（パーフルオロポリエーテル（ＰＦＰＥ））を最表面に塗布してなる潤滑層を有する磁気ディスク上において、磁気ヘッドを半径位置３０ｍｍにて、周速減少時に潤滑層移動が見られたディスク回転数２，０００ｒｐｍで５分間間欠摺動させた。
この間欠浮上動作試験後、スライダ浮上中の磁気ディスク表面に対し、ＯＳＡにてその場（in-situ）観察を実施した。図２は、そのＯＳＡによる磁気ディスク表面の潤滑層の液体潤滑剤分布の測定結果である。
図２に示すように、半径位置３０ｍｍ付近の浮上磁気ヘッドの通過位置において、ヘッドスライダ１の通過痕８とは方向が異なるテクスチャ方向に沿った潤滑層の凝集部９が見られた。
【０００９】
観察された潤滑層の凝集部９に対しマーキングを行い、ＡＦＭ観察を実施したところ、異常突起部すなわちリッジ形状が観察された。
よって、本発明によれば、異常突起（リッジ）位置を正確に把握できることが確認された。
【図面の簡単な説明】
【００１０】
【図１】本発明に係る磁気ディスク表面の異常突起検出方法の実施形態におけるヘッドスライダと磁気ディスクの関係を示す模式図である。
【図２】本発明に係る実施例の間欠浮上動作後の磁気ディスク表面のＯＳＡによる潤滑層の液体潤滑剤分布の測定結果である。
【符号の説明】
【００１１】
１    ヘッドスライダ
２    空気膜
３    潤滑層
４    保護層
５    磁気記録層
６    磁気ディスク
７    空気流
８    ヘッドスライダの通過痕
９    テクスチャ形状による潤滑層の凝集部
【図１】
2006065992.tif 000003
【図２】
2006065992.tif 000004
(57)【要約】【課題】  小規模小売店、特に夜間のコンビニなどにおいて、強盗が多発しており、しかも、年々増えている。しかし、従来型のカラーボールや催涙スプレー程度では、抜本的な解決策にならず、強盗の反撃を容易に受けるため、危険である。本発明は、このような犯罪と、それによる店員の被害をできるだけ減らそうとすることを目的とするものである。【解決手段】  店内又は店外に複数箇所の落とし穴を作り、犯人が一度落ちたら出られない様にする。物理的に強盗犯をとらえてしまうため、反撃を受ける危険も少なく、また、警察官が到着するまでの時間、犯人をとらえておき、逮捕に繋がる可能性も著しく高くなる。【選択図】  図１
2006065825.tif 000002
【特許請求の範囲】
【請求項１】
店内または店外に複数箇所の落とし穴を作り、強盗を穴に落とすようにする。一度落ちたら出られないように、しかも、なるべく大怪我はしない程度の深さの穴を掘る。できれば床が閉まるようにすれば、警察が捕まえやすくなる。
【請求項２】
操作はなるべく簡単で、従業員や店主が手元（レジの近辺等）でできるようにする。
【発明の詳細な説明】
【技術分野】
【０００１】  本発明は、コンビニなど小規模小売店を襲う強盗を捕獲し、かつ、防止・抑止するものである。店主や従業員が簡単な操作で、強盗を落とし穴に落とす方法で、強盗が一度落ちたら出られない物にする。
【発明の開示】
【発明が解決しようとする課題】
【０００２】  小規模小売店、特に夜間のニンビニなどにおいて、強盗が多発しており、しかも、年々増えているという事実。【０００３】  従来型のカラーボールや催涙スプレー程度では、抜本的な解決策にならず、強盗の反撃を容易に受けるため、危険である。【０００４】  本発明は、このような犯罪と、それによって店員・店舗が蒙る被害をできるだけ減らそうとすることを目的とするものである。
【課題を解決するための手段】
【０００５】  店内又は店外に複数箇所の落とし穴を作り、犯人が一度落ちたら出られない様にする。
【発明の効果】
【０００６】  強盗の捕獲・防止が可能となる
【発明を実施するための最良の形態】
【０００７】  コンビニ・商店に留まらず、銀行など数多くのお客様相手の営業店において活用されるのが、もっとも適切である。
【図面の簡単な説明】
【０００８】
【図１】  落とし穴は確実に落ちるように、設置数は最低二箇所以上。
【図１】
2006065825.tif 000003